(57)【要約】【課題】間接照明部による光を部屋全体に均一に行き渡らせるとともに、間接照明部付近の壁や天井のクロス材の劣化を防ぐことができる部屋構造を提供することを目的とする。【解決手段】外部と連通する開口部１１を備えた壁部１０の上部に、前記開口部１１を蔽遮するカーテンを収納するためのカーテンボックス２と、部屋１の内部を間接照明する間接照明部３とが一体的に、かつ間接照明部３をカーテンボックス２より低くして設けられており、これらカーテンボックス２および間接照明部３は、前記開口部１１を備えた壁部１０と同一の幅を有していることを特徴とする部屋構造の提供を上記課題の解決手段とする。【選択図】図１
2007165181.tif 000002
【特許請求の範囲】
【請求項１】
外部と連通する開口部を備えた壁部の上部に、前記開口部を蔽遮するカーテンを収納するためのカーテンボックスと、部屋の内部を間接照明する間接照明部とが一体的に、かつ間接照明部をカーテンボックスより低くして設けられており、
これらカーテンボックスおよび間接照明部は、前記開口部を備えた壁部と同一の幅を有していることを特徴とする部屋構造。
【請求項２】
請求項１に記載の部屋構造において、
前記開口部を備えた壁部の近傍において部屋の天井面に、所定長さの垂壁部が垂設されており、
前記垂壁部と前記開口部を備えた壁部との間に、カーテンレールを取り付けるための取付板が設けられることによって前記カーテンボックスが形成され、
前記垂壁部の下端部に、室内側へと延出する延出板部が設けられ、この延出板部の上面に照明装置が設置されることによって前記間接照明部が形成されていることを特徴とする部屋構造。
【請求項３】
請求項１また２に記載の部屋構造において、
前記間接照明部の先端から前記開口部を備えた壁部までの奥行きが、少なくとも６００ｍｍ以上であることを特徴とする部屋構造。
【請求項４】
請求項１〜３のいずれか一項に記載の部屋構造において、
前記照明装置は、光源部の照度を調光する調光機能を有していることを特徴とする部屋構造。
【請求項５】
請求項１〜４のいずれか一項に記載の部屋構造において、
前記間接照明部には、室内に設けられる音響装置と接続するスピーカーが設置されていることを特徴とする部屋構造。
【発明の詳細な説明】
【技術分野】
【０００１】
本発明は、外部と連通する開口部を備えた壁部の上部にカーテンボックスと間接照明部とが設けられてなる部屋構造に関する。
【背景技術】
【０００２】
従来より、部屋内の美観を高めることができる技術として間接照明が知られており、壁面や天井面に当てた反射光によって部屋内を照らすことで、部屋内に柔らかい雰囲気を形成したり、部屋全体に立体感を生み出したりすることが可能となっている。
また、このような間接照明を設けた技術として、特許文献１に記載のような間接照明構造が知られている。
【０００３】
この特許文献１に記載の間接照明構造は、居間の内壁面に、水平方向に沿って蛍光灯を設けるとともに、内壁面と平行して蛍光灯を覆う幕板を、内壁面と幕板との間に取付金具を介して設けた構造となっている。また、窓上の内壁面に位置する前記取付金具の下側に、カーテンレールを設けた状態となっている。
すなわち、窓等の開口部の上部において前記間接照明構造は、上述したような間接照明自体の機能を備えた上に、カーテンレールを設けるためのカーテンボックスとしての機能も備えることになり、機能性の面で優れる。
【特許文献１】特開平１０−３２１０１９号公報
【発明の開示】
【発明が解決しようとする課題】
【０００４】
ところで、このような間接照明構造では、前記蛍光灯が、取付金具を境にしてカーテンレールよりも高い位置に設けられ、天井面に対してより近くに位置した状態となっている。このような場合、前記蛍光灯と天井面との距離が近いので、天井面により強い光を当てることが可能となっている。
【０００５】
しかしながら、前記蛍光灯と天井面との距離が近ければ近いほど、蛍光灯の光は天井面の狭い範囲に強く照射されるので、その反射光を部屋全体に均一に行き渡すことが難しく、蛍光灯から遠ざかるほど部屋内が極端に暗くなってしまう場合があった。
さらに、前記蛍光灯の光が内壁面や天井面に強く当たるほど、これら内壁面や天井面に貼り付けられているクロス材が、蛍光灯の熱によって劣化してしまう場合があった。
【０００６】
本発明の課題は、間接照明部による光を部屋全体に均一に行き渡らせるとともに、間接照明部付近の壁や天井のクロス材の劣化を防ぐことができる部屋構造を提供することを目的とする。
【課題を解決するための手段】
【０００７】
請求項１に記載の発明は、例えば図１および図２に示すように、外部と連通する開口部１１を備えた壁部１０の上部に、前記開口部１１を蔽遮するカーテン（図示せず）を収納するためのカーテンボックス２と、部屋１の内部を間接照明する間接照明部３とが一体的に、かつ間接照明部３をカーテンボックス２より低くして設けられており、
これらカーテンボックス２および間接照明部３は、前記開口部１１を備えた壁部１０と同一の幅を有していることを特徴とする。
【０００８】
請求項１に記載の発明によれば、前記間接照明部３をカーテンボックス２より低くして設けるので、前記カーテンボックス２よりも前記間接照明部３の方が、部屋１の天井に対してより遠ざかった位置に設けられることになる。これによって、従来に比して、前記間接照明部３の光を部屋１の天井に対して広い範囲に照射することができるので、その反射光を部屋１全体に均一に行き渡らせることが可能となる。
さらに、前記間接照明部３が、部屋１の天井に対してより遠ざかった位置に設けられているので、部屋１の天井に強い光が当たらなくなり、部屋１の天井に貼り付けられたクロス材を劣化させにくくすることが可能となる。
さらに、前記間接照明部３が、前記開口部１１を備えた壁部１０と同一の幅を有しているので、この間接照明部３からの光を部屋１全体に広く行き渡らせることができる。
【０００９】
また、前記カーテンボックス２が、前記開口部１１を備えた壁部１０と同一の幅を有しているので、前記カーテンボックス２と同一の幅でカーテンを設けることによって前記壁部１０を全体的に蔽遮することができ、前記壁部１０の開口部１１を確実に蔽遮することができる。
また、前記カーテンボックス２内にカーテンレール（図示せず）を設ける際に、前記壁部１０の幅にわたって取り付けることによって、例えば、カーテンを開いたときには壁部１０の隅部にカーテンを束ねておくことで、開口部１１の周囲にカーテンをなくすことができ、開口部１１の周囲をすっきりさせて部屋１内を明るい感じに見せることができる。一方、カーテンを閉じたときには、壁部１０全体をカーテンで覆うことができ、部屋１内の意匠性をより高めることができる。
そして、これらカーテンボックス２および間接照明部３が、前記壁部１０の上部において一体的に形成されているとともに、前記壁部１０と同一の幅を有しているので、意匠上の統一性を得ることができ、部屋１内の美観をより一層高めることが可能となる。
【００１０】
請求項２に記載の発明は、例えば図１に示すように、請求項１に記載の部屋構造１において、
前記開口部１１を備えた壁部１０の近傍において部屋１の天井面１２に、所定長さの垂壁部１３が垂設されており、
前記垂壁部１３と前記開口部１１を備えた壁部１０との間に、カーテンレールを取り付けるための取付板１４が設けられることによって前記カーテンボックス２が形成され、
前記垂壁部１３の下端部に、室内側へと延出する延出板部１５が設けられ、この延出板部１５の上面に照明装置４が設置されることによって前記間接照明部３が形成されていることを特徴とする。
【００１１】
請求項２に記載の発明によれば、前記天井面１２に垂設される垂壁部１３と、前記開口部１１を備えた壁部１０との間に前記取付板１４が設けられることによって前記カーテンボックス２が形成されているので、前記取付板１４に取り付けられるカーテンレールを確実に収納することができる。
また、前記垂壁部１３の下端部に、室内側へと延出する延出板部１５が設けられ、この延出板部１５の上面に照明装置４が設置されることによって前記間接照明部３が形成されていることから、十分な奥行きを確保することが可能となり、部屋１の低い位置から前記照明装置４が見えにくい状態となるので、部屋１内の美観を高めることができる。
そして、これらカーテンボックス２および間接照明部３が、前記壁部１０の上部において前記垂壁部１３を介して一体的に形成されているので、意匠上の統一性を得ることができ、部屋１内の美観をより一層高めることが可能となる。
【００１２】
請求項３に記載の発明は、例えば図１および図２に示すように、請求項１または２に記載の部屋構造１において、
前記間接照明部３の先端から前記開口部１１を備えた壁部１０までの奥行きＤが、少なくとも６００ｍｍ以上であることを特徴とする。
【００１３】
請求項３に記載の発明によれば、前記間接照明部３の先端から前記開口部１１を備えた壁部１０までの奥行きＤが、少なくとも６００ｍｍ以上であることから、十分な奥行きを確保することが可能となり、部屋１の低い位置から照明装置４が見えにくい状態となるので、部屋１内の美観を高めることができる。
【００１４】
また、このように前記間接照明部３の先端から前記開口部１１を備えた壁部１０までの間に十分な奥行きを確保すことができるので、部屋１の低い位置から照明装置４が見えない範囲で、前記光源部４ａを前記垂壁部１３に対して遠い位置に設けることができる。これによって、前記光源部４ａから発せられる光を前記垂壁部１３に対して広い範囲に照射することができるので、その反射光を部屋１全体に行き渡らせることが可能となる。
さらに、前記光源部４ａが前記垂壁部１３に対してより遠ざかった位置に設けられているので、垂壁部１３の表面に強い光が当たらなくなり、垂壁部１３に貼り付けられたクロス材１６を劣化させにくくすることが可能となる。
【００１５】
請求項４に記載の発明は、例えば図１に示すように、請求項１〜３のいずれか一項に記載の部屋構造１において、
前記照明装置４は、光源部４ａの照度を調光する調光機能を有していることを特徴とする。
【００１６】
請求項４に記載の発明によれば、前記照明装置４は、光源部４ａの照度を調光する調光機能を有していることから、前記照明装置４による照明演出効果によって部屋１内の雰囲気を変えたり、居住者の生活に合わせて適宜調節したりすることができるので、より快適な居住環境を形成することが可能となる。
【００１７】
請求項５に記載の発明は、例えば図１に示すように、請求項１〜４のいずれか一項に記載の部屋構造１において、
前記間接照明部３には、室内に設けられる音響装置と接続するスピーカー５が設置されていることを特徴とする。
【００１８】
請求項５に記載の発明によれば、前記間接照明部３には、室内に設けられる音響装置と接続するスピーカー５が設置されていることから、このスピーカー５から発せられる音を、前記間接照明部３内で反響させて部屋１内へと広げることができるので、臨場感のある音響効果を発揮することができる。
しかも、部屋１の低い位置からは前記スピーカー５が見えにくい状態となるので、部屋１内の美観を高めることができる。
【発明の効果】
【００１９】
本発明によれば、間接照明部による光を部屋全体に均一に行き渡らせるとともに、間接照明部付近の壁や天井のクロス材の劣化を防ぐことができる。
【発明を実施するための最良の形態】
【００２０】
以下、図面を参照して本発明に係る部屋構造１の実施の形態について説明する。
なお、本実施の形態の部屋構造１が設けられる建物は、壁や床、屋根といった建物の構成要素を予め工場にてパネル化しておき、施工現場でこれらのパネルを組み立てて構築するパネル工法で構築されるが、従来の軸組工法や壁式工法の木造、鉄骨造、鉄筋コンクリート造等の建物にも適用することができる。
【００２１】
本実施の形態の部屋構造１は、図１に示すように、外部と連通する開口部１１を備えた壁部１０の上部に、前記開口部１１を蔽遮するカーテンを収納するためのカーテンボックス２と、部屋１の内部を間接照明する間接照明部３とが一体的に、かつ間接照明部３をカーテンボックス２より低くして設けられており、
これらカーテンボックス２および間接照明部３は、前記開口部１１を備えた壁部１０と同一の幅を有している。
【００２２】
前記部屋１は、図２に示すように、平面視において略長方形状に形成されており、互いに直交する複数の壁部１０、２０、２１、２２を有した状態となっている。
また、部屋１の一角にはクローゼット２３が配設されており、このクローゼット２３の出入り口２４ａが設けられた壁部２４と対向する壁部２２に、部屋１の出入り口２５が設けられている。
【００２３】
一方、前記開口部１１は、前記壁部１０に形成されているとともに、この開口部１１を開閉するための窓１１ａが設けられた状態となっている。また、この窓１１ａを開けて前記開口部１１を開放することによって、外部に設けられたバルコニー２６と行き来することができるようになっている。
なお、本実施の形態の部屋構造１には、前記開口部１１の他にも複数の開口部２０ａ、２１ａ、２１ｂが設けられており、中にはカーテンボックス２０ｂを備えているものも設けられている。
【００２４】
そして、図１に示すように、前記開口部１１を備えた壁部１０の上部には、上述したように、前記カーテンボックス２と間接照明部３とが一体的に、かつ間接照明部３をカーテンボックス２より低くして設けられた状態となっている。
【００２５】
すなわち、前記カーテンボックス２は、前記開口部１１を備えた壁部１０の近傍において部屋１の天井面１２に垂設された所定長さの垂壁部１３と、前記開口部１１を備えた壁部１０との間に、カーテンレールを取り付けるための取付板１４が設けられることによって形成されている。
そして、このようにして前記カーテンボックス２が形成されているので、前記取付板１４に取り付けられるカーテンレールを確実に収納することができるようになっている。
【００２６】
また、前記間接照明部３は、前記垂壁部１３の下端部に、室内側へと延出する延出板部１５が設けられ、この延出板部１５の上面に照明装置４が設置されることによって形成されている。
そして、このようにして前記間接照明部３が形成されていることから、十分な奥行きを確保することが可能となり、部屋１の低い位置から前記照明装置４が見えにくい状態となるので、部屋１内の美観を高めることができるようになっている。
【００２７】
そして、以上のようなカーテンボックス２および間接照明部３が、前記壁部１０の上部において前記垂壁部１３を介して一体的に形成されているので、意匠上の統一性を得ることができ、部屋１内の美観をより一層高めることが可能となる。
【００２８】
なお、前記延出板部１５は、図１に示すように、前記垂壁部１３の下端部から室内側へと延出する所定長さの板状体である。また、前記延出板部１５の先端には突片１５ａが設けられている。
このように前記延出板部１５が板状体であることによって、最も室内側に位置する延出板部１５の先端の見付けを薄くすることができるので、よりシンプルなデザインとして、意匠性の向上を図ることができるようになっている。
【００２９】
なお、前記開口部１１を備えた壁部１０、天井面１２、垂壁部１３、取付板１４および延出板部１５の表面には、それぞれクロス材１６が貼り付けられており、部屋内の美観を高めることができるようになっている。
【００３０】
一方、図２に示すように、前記カーテンボックス２および間接照明部３は、上述したように、前記開口部１１を備えた壁部１０と同一の幅を有している。
すなわち、前記カーテンボックス２が、前記開口部１１を備えた壁部１０と同一の幅を有しているので、前記カーテンボックス２と同一の幅でカーテンを収納することによって前記壁部１０を全体的に蔽遮することができ、前記壁部１０の開口部１１を確実に蔽遮することができるようになっている。
また、前記間接照明部３が、前記開口部１１を備えた壁部１０と同一の幅を有しているので、この間接照明部３からの光を部屋１全体に行き渡らせることができ、部屋１内の美観を高めることができるようになっている。
そして、これらカーテンボックス２および間接照明部３が、前記壁部１０の上部において前記垂壁部１３を介して一体的に形成されているので、意匠上の統一性を得ることができ、部屋１内の美観をより一層高めることが可能となる。
【００３１】
また、これらカーテンボックス２および間接照明部３は、図１および図２に示すように、前記間接照明部３の先端から前記開口部１１を備えた壁部１０までの奥行きＤが、少なくとも６００ｍｍ以上となっている。
すなわち、前記間接照明部３の先端から前記開口部１１を備えた壁部１０までの奥行きＤが、少なくとも６００ｍｍ以上となっていることから、十分な奥行きを確保することが可能となり、部屋１の低い位置から照明装置４が見えにくい状態となるので、部屋１内の美観を高めることができる。
【００３２】
また、このように前記間接照明部３の先端から前記開口部１１を備えた壁部１０までの間に十分な奥行きを確保すことができるので、部屋１の低い位置から照明装置４が見えない範囲で、前記光源部４ａを前記垂壁部１３に対して遠い位置に設けることができる。これによって、前記光源部４ａから発せられる光を前記垂壁部１３に対して広い範囲に照射することができるので、その反射光を部屋１全体に行き渡らせることが可能となり、部屋１内の美観をより一層高めることができる。
さらに、前記光源部４ａが前記垂壁部１３に対してより遠ざかった位置に設けられているので、垂壁部１３の表面に強い光が当たらなくなり、垂壁部１３に貼り付けられたクロス材１６を劣化させにくくすることが可能となる。
【００３３】
ここで、本実施の形態において前記間接照明部３の先端から前記開口部１１を備えた壁部１０までの奥行きＤを、少なくとも６００ｍｍ以上としたのは、奥行き寸法を短くすることによって前記延出板部１５の先端と前記照明装置４との距離が短くなってしまうと、部屋１の低い位置から照明装置４が見えてしまうためである。
【００３４】
さらに、前記照明装置４は、光源部４ａの照度を調光する調光機能を有しており、これによって、前記照明装置４による照明演出効果によって部屋１内の雰囲気を変えたり、居住者の生活態様に合わせて適宜調節したりすることができるので、より快適な居住環境を形成することが可能となっている。
なお、前記光源部４ａの調光を行うには、図示はしないが、部屋１内に前記照明装置４と接続するスイッチを設けたり、リモコン式で調光を行えるようにしておいたりすると好ましい。
【００３５】
また、前記照明装置４の他に、前記間接照明部３には、室内に設けられる音響装置（図示せず）と接続するスピーカー５が設置された状態となっている。
このように前記間接照明部３に、室内に設けられる音響装置と接続するスピーカー５が設置されていることから、このスピーカー５から発せられる音を、前記間接照明部３内で反響させて部屋１内へと広げることができるので、臨場感のある音響効果を発揮することができるようになっている。
しかも、部屋１の低い位置からは前記スピーカー５が見えにくい状態となるので、部屋１内の美観を高めることができるようになっている。
【００３６】
なお、本実施の形態においては、前記間接照明部３にスピーカー５を設置したが、スピーカー５だけに限られるものではなく、例えば、図示しない空調機器や装飾品を設置するなどして、快適な居住環境の形成を図るようにしても良い。すなわち、本発明の趣旨を逸脱しない範囲で適宜変更可能である。
【００３７】
なお、本実施の形態の建物本体Ａ１の間取りは以上のように構成されているが、これに限られるものではなく、本発明の趣旨を逸脱しない範囲で適宜変更可能であることは言うまでもない
【００３８】
以上のように本実施の形態によれば、間接照明部３による光を部屋１全体に均一に行き渡らせるとともに、間接照明部３付近の天井面１２や垂壁部１３のクロス材１６の劣化を防ぐことができる。
【図面の簡単な説明】
【００３９】
【図１】本発明の部屋構造に設けられたカーテンボックスおよび間接照明部の設置状態を示す側断面図である。
【図２】本発明の部屋構造を示す平面図である。
【符号の説明】
【００４０】
１  部屋
２  カーテンボックス
３  間接照明部
４  照明装置
５  スピーカー
１０  壁部
１１  開口部
【図１】
2007165181.tif 000003
【図２】
2007165181.tif 000004